(57)【要約】      （修正有）【課題】配線数に関らず余分な開口を削減することができるフリーアクセスフロアにおける配線取出し口用の蓋を提供する。【解決手段】配線取出し口Ｂを開閉する蓋１を、平面積が異なる複数の蓋体２，３，７から構成し、複数の蓋体２，３，７の内、配線数に応じた開口部を形成可能な蓋体を取り外すことによって目的の大きさの開口部を得る。【選択図】図２
0003113019.tif 000002
【実用新案登録請求の範囲】
【請求項１】
フリーアクセスフロアにおける配線取出し口用を開閉する蓋において、当該蓋は、平面積が異なる複数の蓋体からなり、複数の蓋体の内、配線数に応じた開口部を形成可能な蓋体を取り外すことによって目的の大きさの開口部を得るようにしたことを特徴とするフリーアクセスフロアにおける配線取出し口用の蓋。
【請求項２】
前記複数の蓋体の１個または複数個に最少量配線用の少量配線挿通部を備えていることを特徴とする請求項１に記載のフリーアクセスフロアにおける配線取出し口用の蓋。
【請求項３】
各蓋体を分離可能に連結し、目的の大きさの開口部に対応する蓋体を分離するようにしていることを特徴とする請求項１または請求項２に記載のフリーアクセスフロアにおける配線取出し口用の蓋。
【請求項４】
隣り合う蓋体同士が境部を薄肉状として一体成型され、前記薄肉状の境部を折って分離する構造にしていることを特徴とする請求項３に記載のフリーアクセスフロアにおける配線取出し口用の蓋。
【請求項５】
隣り合う蓋体同士が境部を薄肉状とするとともに、小片部と隙間が交互に連続する略ミシン目状部として一体形成され、前記略ミシン目状部を折って分離する構造にしていることを特徴とする請求項３に記載のフリーアクセスフロアにおける配線取出し口用の蓋。
【請求項６】
隣り合う蓋体に亘って相互に嵌合する嵌合部を設け、当該嵌合部の嵌合を解除することによって分離する構造にしていることを特徴とする請求項３に記載のフリーアクセスフロアにおける配線取出し口用の蓋
【請求項７】
少量配線挿通部を開放可能な蓋体を設け、配線取出し時にのみ蓋体を取外すようにしていることを特徴とする請求項１ないし請求項６いずれか１項に記載のフリーアクセスフロアにおける配線取出し口用の蓋。
【考案の詳細な説明】
【技術分野】
【０００１】
本考案は、フリーアクセスフロアにおける配線取出し口用の蓋に関する。
【背景技術】
【０００２】
従来、床スラブと床パネル間に電気配線や通信機器用配線等の各種配線のための空間を確保したフリーアクセスフロアにおいて、前記配線をフロア上に設置された端末機器に接続するための配線取出し口の蓋に関する先行技術文献情報として、たとえば、下記の特許文献１が挙げられる。
前記配線取出し口の蓋は、配線取出し口に適合状に嵌合する形状を有していて、配線を取出す際にのみ、その縁部に配線が貫通する大きさの切欠き部を形成するようにしたものである。
具体的には、蓋に前記切欠き部の形状に沿った溝状の切込みが設けられ、配線を取出す際に、切込みに囲まれた小片を除去することによって切欠き部が形成されるものである。
【特許文献１】特開平１１−２５２７５４号
【０００３】
しかしながら、前記特許文献１に記載の配線取出し口の蓋の構成では、前記切欠き部が配線を取出す必要最小限の面積でしかなく、その数も蓋の面積に応じて限定されてしまうため、取出せる配線数が少ない本数に限られている。
そのため、配線数が多い場合である際には、蓋を取り外し床パネルに形成されている前記配線取出し口から直接取出すことになるので、配線数によっては配線取出し口に余分な開口が残ってしまう。
【考案の開示】
【考案が解決しようとする課題】
【０００４】
そこで本考案は、配線数に関らず余分な開口を削減することを課題とし、この課題を解決したフリーアクセスフロアにおける配線取出し口用の蓋の提供を目的とする。
【課題を解決するための手段】
【０００５】
本考案は、上記目的を達成するために下記の技術的手段を採用した。
その技術的手段は、フリーアクセスフロアにおける配線取出し口用を開閉する蓋において、当該蓋は、平面積が異なる複数の蓋体からなり、複数の蓋体の内、配線数に応じた開口部を形成可能な蓋体を取り外すことによって目的の大きさの開口部を得るようにしたことである（第１考案）。
また、最小量の配線を可能とする観点から、前記複数の蓋体の１個または複数個に最少量配線用の少量配線挿通部を備えることが好ましい（第２考案）。
また、本発明における蓋は、前記複数の蓋体をすべて独立した形態としても良いし、各蓋体のずれ防止という観点から、各蓋体を分離可能に連結し、目的の大きさの開口部に対応する蓋体を分離する形態でも良い（第３考案）。
前記複数の蓋体の連結構造として、たとえば、隣り合う蓋体同士が境部を薄肉状として一体成型され、前記薄肉状の境部を折って分離する構造（第４考案）、また、隣り合う蓋体同士が境部を薄肉状とするとともに、小片部と隙間が交互に連続する略ミシン目状部として一体形成され、前記略ミシン目状部を折って分離する構造（第５考案）、さらに、隣り合う蓋体に亘って相互に嵌合する嵌合部を設け、当該嵌合部の嵌合を解除することによって分離する構造（第６考案）が挙げられる。
また、前記少量配線挿通部は、開口面積が小さく、その開口による不具合の可能性が低いため、常時開口した形態であっても良いし、さらに、蓋の余剰開口を低減するという観点から、少量配線挿通部を開放可能な蓋体を設け、配線取出し時にのみ蓋体を取外すようにした形態にしても良い（第７考案）。
【考案の効果】
【０００６】
本考案のフリーアクセスフロアにおける配線取出し口用の蓋によれば、下記の優れた効果が期待できる。
第１考案によれば、配線数に応じた開口部を形成可能な蓋体を取り外すことによって目的の大きさの開口部を得ることができるので、配線数に関らず余分な開口を削減することができる。
また、第２考案によれば、最少量配線用の配線挿通部により、極めて少ない配線数においても余分な開口を削減することができる。
また、第３考案によれば、各蓋体を分離可能に連結しているので、蓋体相互のずれを防止することができる。
また、第４考案〜第６考案によれば、第３考案における連結構造を具体的に提供することができる。
また、第７考案によれば、配線取出し時にのみ少量配線挿通部を開口するので、蓋の余剰開口をさらに低減することができる。
【考案を実施するための最良の形態】
【０００７】
以下、本考案のフリーアクセスフロアにおける配線取出し口用の蓋を実施するための最良の形態を図面に基づいて説明すると、図１〜図５は、第１形態を、図６は、第２形態を、図７は第３形態を夫々示している。
各形態の共通する蓋１の構成として、フリーアクセスフロアＡを構成する床パネルＡ１の縁部に形成された配線取出し口Ｂに適合して嵌合する平面形状を呈し、大量配線用の開口部（以下、「第１開口部」という）Ｂ１を開閉するための蓋体（以下「第１蓋体」という）２と、中量配線用の開口部（以下、「第２開口部」という）Ｂ２を開閉するための蓋体（以下「第２蓋体」という）３と、前記第１蓋体の縁部に形成される少量配線挿通部４とから構成されている。
また、前記第１蓋体２と第２蓋体３とは、両蓋体同士の境部５で分離可能に連結され、配線の取出し時において、目的の開口面積に対応する蓋体を取外すようにされている。
また、最大量の配線数の場合には、前記蓋１の全体を取外して前記配線取出し口Ｂを開放し、最小量の配線数の場合には、後述するように少量配線挿通部４における第３蓋体７を取外して開口された第３開口部８から配線を取出すようにされている。
また、符号６は、配線取り出し口Ｂの縁部を突出させて形成した載置凸部Ｂ１０に載置するための載置板であり、蓋１の三辺の縁部を突出させて形成したものである。
【０００８】
第１形態の蓋１は、第１蓋体２と第２蓋体３との境部５を薄肉状として両蓋体を同一体に連結している。
そして、前記境部５を折ることによって第１蓋体２と第２蓋体３とを分離し、目的の開口部を得ることができるいずれか一方の蓋体を配線取出し口Ｂに嵌合取り付けするようにしている。
なお、前記境部の構成は、例示したものに限定するものではなく、後述する略ミシン目状部９１と同様の構成も含む。
【０００９】
本形態の少量配線挿通部４は、前述のように、蓋体（以下「第３蓋体」）７によって塞がれていて、当該蓋体７を分離することによって、少量配線を取出し可能な開口部（以下「第３開口部」という）８を形成するようにしている。
前記蓋体７は、第３開口部８との境部９を薄肉状とするとともに、小片部と隙間が交互に連続する略ミシン目状部９１として第３開口部８と一体形成されていて、前記略ミシン目状部９１を折ることにより蓋体７を分離するようにしている。
なお、本形態で例示した少量配線挿通部は、前記分離可能な蓋体を有するものであるが、本考案では、蓋体を有さず開口されている形態も含む（図示せず）。
また、前記少量配線挿通部の構成は、以下で例示する第２形態および第３形態において同様である。
【００１０】
第２形態の蓋１は、第１蓋体２と第２蓋体３とに亘って相互に嵌合する嵌合部９２によって分離可能に連結されたものである。
なお、前記第１形態と重複する部位についての説明は同符号を付すことにより省略する。
前記嵌合部９２は、第１蓋体２の境部面５１の下半部を外側に突出形成した下部嵌合体９２１と、第２蓋体３の境部面５２の上半部を外側に突出形成した上部嵌合体９２２とからなり、当該両嵌合体９２１，９２２同士を嵌合させることによって第１蓋体２と第２蓋体３を分離可能に一体化するようにしている。
また、前記下部嵌合体９２１と上部嵌合体９２２には、相互に上下方向に嵌合する凹凸部９２３が形成されていて、両嵌合体の嵌合と同時に凹凸部９２３同士が嵌合することによって、第１蓋体２と第２蓋体３とが互いに離間する方向へのずれが防止される。
そして、第１蓋体２と第２蓋体３とを嵌合部９２の嵌合を解除することによって、両蓋体が分離し、目的の開口部を得ることができるいずれか一方の蓋体を配線取出し口Ｂに嵌合取付けするようにしている。
【００１１】
第３形態の蓋１は、第１蓋体２と第２蓋体３とが独立し連結されていない形態のものであって、目的の開口部を得ることができるいずれか一方の蓋体を配線取出し口Ｂに嵌合取付けするようにしている。
なお、前記第１形態および第２形態と重複する部位についての説明は、同符号を付すことにより省略する。
【００１２】
なお、本考案は、例示した実施の形態に限定するものではなく、実用新案登録請求の範囲に記載された内容から逸脱することなく、他の構成による実施も可能である。
【図面の簡単な説明】
【００１３】
【図１】本考案に係るフリーアクセスフロアにおける配線取出し口用の蓋の第１形態を示す。
【図２】図１の（２）−（２）線断面図。
【図３】第１開口部を形成した状態を示す。
【図４】第２開口部を形成した状態を示す。
【図５】第３開口部を形成した状態の示す。
【図６】本考案に係るフリーアクセスフロアにおける配線取出し口用の蓋の第２形態を示す断面図。
【図７】本考案に係るフリーアクセスフロアにおける配線取出し口用の蓋の第３形態を示す断面図。
【符号の説明】
【００１４】
Ａ：フリーアクセスフロア
Ａ１：床パネル
Ｂ：配線取出し口
Ｂ１：第１開口部
Ｂ２：第２開口部
１：蓋
２：第１蓋体
３：第２蓋体
４：少量配線挿通部
５：境部
５１：境部面
５２：境部面
７：第３蓋体
８：第３開口部
９１：略ミシン目状部
９２：嵌合部
９２１：上部嵌合体
９２２：下部嵌合体
９２３：凹凸部
【図１】
0003113019.tif 000003
【図２】
0003113019.tif 000004
【図３】
0003113019.tif 000005
【図４】
0003113019.tif 000006
【図５】
0003113019.tif 000007
【図６】
0003113019.tif 000008
【図７】
0003113019.tif 000009